【手続補正書】
【提出日】平成31年3月14日(2019.3.14)
【手続補正１】
【補正対象書類名】特許請求の範囲
【補正対象項目名】全文
【補正方法】変更
【補正の内容】
【特許請求の範囲】
【請求項１】
測定対象物に対する距離または前記測定対象物の変位を測定する第一変位計および第二変位計と接続され、前記第一変位計および前記第二変位計を制御するコンピュータにおいて実行されるプログラムであって、
前記第一変位計の識別情報を前記第一変位計から取得するとともに、前記第二変位計の識別情報を前記第二変位計から取得する取得手段と、
前記第一変位計の識別情報と前記第二変位計の識別情報を記憶する第一記憶手段と、
前記第一変位計の識別情報と、前記第一変位計により得られた測定値を表示する第一表示オブジェクトの識別情報との関連付けを記憶するとともに、前記第二変位計の識別情報と、前記第二変位計により得られた測定値を表示する第二表示オブジェクトの識別情報との関連付けを記憶する第二記憶手段と、
前記第一変位計により得られた測定値を前記第一表示オブジェクトにレンダリングするとともに、前記第二変位計により得られた測定値を前記第二表示オブジェクトにレンダリングするレンダリング手段と、
前記第一変位計の識別情報が取得できなくなり、かつ、第三変位計の識別情報が取得されるようになると、当該第三変位計により得られた測定値を前記第一表示オブジェクトにレンダリングすべく、前記第一変位計の識別情報に代えて前記第三変位計の識別情報を前記第一表示オブジェクトの識別情報に関連付けることの承諾を求める情報を出力する出力手段と、
前記第一表示オブジェクトの識別情報に関連付けられている識別情報を前記第一変位計の識別情報に代えて前記第三変位計の識別情報に変更する変更手段として前記コンピュータを機能させることを特徴とするプログラム。
【請求項２】
前記承諾を受け付ける受付手段をさらに有し、
前記変更手段は、前記承諾が受け付けられると、前記第一表示オブジェクトの識別情報に関連付けられている識別情報を前記第一変位計の識別情報に代えて前記第三変位計の識別情報に変更することを特徴とする請求項１に記載のプログラム。
【請求項３】
前記第一変位計、前記第二変位計および前記第三変位計のそれぞれは、
前記測定対象物に対する距離または前記測定対象物の変位を電気信号に変換するヘッドと、
前記電気信号を前記コンピュータに中継する中継手段と、
前記中継手段と前記コンピュータとを接続するコネクタと、
各変位計の識別情報を記憶する第三記憶手段と
を有することを特徴とする請求項２に記載のプログラム。
【請求項４】
前記第三記憶手段は各変位計の識別情報として前記ヘッドまたは前記中継手段の識別情報を記憶していることを特徴とする請求項３に記載のプログラム。
【請求項５】
前記ヘッドは交換可能なヘッドであり、
前記第三記憶手段は、
前記ヘッドの識別情報を記憶する第四記憶手段と、
前記中継手段の識別情報を記憶する第五記憶手段とを有しており、
前記第二記憶手段は、各変位計の識別情報として各変位計を構成している前記ヘッドの識別情報と前記中継手段の識別情報とを、各変位計に対応する表示オブジェクトの識別情報に関連付けて記憶することを特徴とする請求項３に記載のプログラム。
【請求項６】
前記第二記憶手段に記憶されている前記第一変位計の前記ヘッドの識別情報が前記取得手段により取得できなくなり、かつ、前記第一変位計の前記中継手段を通じて別のヘッドの識別情報が取得されると、前記第一変位計の前記ヘッドが交換されたと判定する判定手段として前記コンピュータをさらに機能させ、
前記出力手段は、前記別のベッドの識別情報を前記第一表示オブジェクトの識別情報に関連付けることの承諾を求める情報を出力し、
前記変更手段は、前記受付手段により承諾が受け付けられると、前記第二記憶手段に記憶されている前記第一表示オブジェクトの識別情報に対して前記別のベッドの識別情報を関連付けることを特徴とする請求項５に記載のプログラム。
【請求項７】
前記第二記憶手段に記憶されている前記第一変位計の前記中継手段の識別情報が前記取得手段により取得できなくなり、かつ、前記第一変位計の前記ヘッドの識別情報が別の中継手段を通じて取得されると、前記第一変位計の前記中継手段が交換されたと判定する判定手段として前記コンピュータをさらに機能させ、
前記出力手段は、前記別の中継手段の識別情報を前記第一表示オブジェクトの識別情報に関連付けることの承諾を求める情報を出力し、
前記変更手段は、前記受付手段により承諾が受け付けられると、前記第二記憶手段に記憶されている前記第一表示オブジェクトの識別情報に対して前記別の中継手段の識別情報を関連付けることを特徴とする請求項５に記載のプログラム。
【請求項８】
前記プログラムが起動したときに、前記第一記憶手段に記憶されているすべての変位計の識別情報と前記取得手段により取得されたすべての変位計の識別情報とが一致すると、前記出力手段は前記情報を表示しないことを特徴とする請求項１ないし７のいずれか一項に記載のプログラム。
【請求項９】
各変位計の測定結果をモニターするためのモニター画面を作成する作成手段であって、
前記測定対象物の画像をインポートするインポート手段と、
前記測定対象物の画像に対して、各変位計の測定結果を表示するための表示オブジェクトを配置する配置手段と
を有する前記作成手段として前記コンピュータを機能させることを特徴とする請求項１ないし８のいずれか一項に記載のプログラム。
【請求項１０】
測定対象物に対する距離または測定対象物の変位を測定する複数の変位計と接続され、前記複数の変位計を制御するコンピュータにおいて実行されるプログラムであって、
前記複数の変位計のそれぞれから固有の識別情報を取得する取得手段と、
前記取得手段により取得された前記複数の変位計のそれぞれの識別情報を記憶する第一記憶手段と、
前記複数の変位計のそれぞれにより得られた測定値を表示する複数の表示オブジェクトの識別情報と、前記複数の変位計のそれぞれの識別情報との関連付けを記憶する第二記憶手段と、
前記複数の変位計により得られた各測定値を、前記複数の表示オブジェクトのうち関連付けられている表示オブジェクトに表示させる表示制御手段と、
前記複数の変位計のうち一つの変位計が他の変位計に変更されると、前記取得手段により取得された当該他の変位計の識別情報を、前記複数の表示オブジェクトのうち当該一つの変位計の識別情報に関連付けられていた表示オブジェトの識別情報に関連付けることの承諾を求める情報を出力する出力手段として前記コンピュータを機能させることを特徴とするプログラム。
【請求項１１】
測定対象物に対する距離または前記測定対象物の変位を測定する変位計であって、
前記測定対象物に対する距離または前記測定対象物の変位を電気信号に変換するヘッドと、
前記ヘッドに接続され前記電気信号を伝達する第一信号線と、
前記第一信号線が接続され、前記電気信号を第一通信規格の通信信号に変換する第一中継手段と、
前記ヘッドの固有識別情報を記憶する第一記憶手段と、
前記第一中継手段とコンピュータとの間に着脱可能に接続され、前記第一通信規格の通信信号を第二通信規格の通信信号に変換する第二中継手段と、
前記第二中継手段の固有識別情報を記憶する第二記憶手段と、
を有し、
前記第二中継手段は、前記第一記憶手段から取得した前記ヘッドの固有識別情報と、前記第二記憶手段から取得した前記第二中継手段の固有識別情報とを前記コンピュータに送信することを特徴とする変位計。
【請求項１２】
前記第二中継手段は前記コンピュータによってＣＯＭポート番号を付与される通信デバイスであることを特徴とする請求項１１に記載の変位計。
【請求項１３】
測定対象物に対する距離または測定対象物の変位を測定する複数の変位計と接続され、前記複数の変位計を制御するコンピュータにおいて実行されるプログラムであって、
前記複数の変位計のそれぞれにより得られた測定値を表示する複数の表示オブジェクトの識別情報と、前記複数の変位計のそれぞれの識別情報とを関連付けて記憶する記憶手段と、  前記複数の変位計により得られた各測定値を、前記複数の表示オブジェクトのうち関連付けられている表示オブジェクトにレンダリングするレンダリング手段と、
前記プログラムが起動されるか、または、取得指示が入力されると、前記コンピュータに接続されている複数の変位計のそれぞれから固有の識別情報を取得する取得手段と、
前記コンピュータに接続されている複数の変位計から前記取得手段により取得された複数の識別情報と前記記憶手段に記憶されている複数の識別情報とが一致しているかどうかを判定する判定手段と、
前記コンピュータに接続されている複数の変位計から取得された複数の識別情報と前記記憶手段に記憶されている複数の識別情報とが一致していないときに、前記コンピュータに接続されている複数の変位計の識別情報と前記複数の表示オブジェクトの識別情報との関連付けの更新を承諾するかどうかを求める情報を出力する出力手段と、
前記更新を承諾する指示が入力されると、前記関連付けを更新する更新手段として前記コンピュータを機能させることを特徴とするプログラム。
【請求項１４】
前記判定手段が、前記コンピュータに接続されている複数の変位計から前記取得手段により取得された複数の識別情報のうち一つが前記記憶手段には記憶されていない未知の変位計の識別情報であり、かつ、前記記憶手段に記憶されている複数の変位計の識別情報のうち一つの変位計の識別情報が取得できないと判定し、かつ、前記更新を承諾する指示が入力されると、前記更新手段は、前記記憶手段に記憶されている複数の変位計の識別情報のうち前記取得手段により取得できなくなった一つの変位計の識別情報に関連付けられていた表示オブジェクトの識別情報を、前記未知の変位計の識別情報に関連付けることを特徴とする請求項１３に記載のプログラム。
【請求項１５】
前記複数の変位計に対して一対一で接続され、それぞれ接続された変位計の測定結果を前記コンピュータに転送する複数の中継手段をさらに有し、
前記記憶手段は、前記複数の表示オブジェクトの識別情報と、前記複数の変位計の識別情報と、前記複数の中継手段の識別情報とを関連付けて記憶し、
前記判定手段が、前記記憶手段に記憶されている前記複数の中継手段の識別情報のすべてが前記取得手段により取得され、かつ、前記記憶手段に記憶されていない未知の変位計の識別情報が前記複数の中継手段のうち一つの中継手段を通じて取得されると、前記更新手段は、当該一つの中継手段の識別情報に関連付けられている表示オブジェクトの識別情報に対して、前記未知の変位計の識別情報を関連付けることを特徴とする請求項１３に記載のプログラム。